(57)【要約】【課題】昇降時に生じる金属特有の高サイクル振動を減衰させて騒音の発生を効果的に防止でき、耐食性に優れる、消音段板を備えた鉄骨製階段。【解決手段】ささら桁３に支持される段板４の踏面部４ａの複数箇所にスタッドボルト６が溶接され、段板４の踏面部４ａにスタッドボルト用通し孔が穿たれている消音用ゴムプレート７が載置されさらにその上にスタッドボルト用通し孔が穿たれているとともに段鼻側の上面端縁にレベル調整材８を備えた段板カバープレート９が載置され、各スタッドボルト６にナット１０が締結されて段板カバープレート９と消音用ゴムプレート７が段板４の踏面部４ａに固定され、ナット１０の周りの隙間と段板カバープレート９の周辺の隙間に防水コーキングが施され、段板カバープレート９の上にレベル調整材８の高さに合わせて仕上げ材１１が設けられ、レベル調整材８にアングル状滑り止め１２が被され止着されている。【選択図】図２
2004027526.tif 000002
【特許請求の範囲】
【請求項１】
ささら桁に支持される段板の踏面部の複数箇所にスタッドボルトが溶接され、段板の踏面部にスタッドボルト用通し孔が穿たれている消音用ゴムプレートが載置されさらにその上にスタッドボルト用通し孔が穿たれているとともに段鼻側の上面端縁にレベル調整材を備えた段板カバープレートが載置され、各スタッドボルトにナットが締結されて段板カバープレートと消音用ゴムプレートが段板の踏面部に固定され、ナットの周りの隙間と段板カバープレートの周辺の隙間に防水コーキングが施され、段板カバープレートの上にレベル調整材の高さに合わせて仕上げ材が設けられ、レベル調整材にアングル状滑り止めが被され止着されていることを特徴とする、消音段板を備えた鉄骨製階段。
【請求項２】
踏面部と蹴り上げ面部と段鼻面部を有していてささら桁に支持される段板の踏面部の複数箇所にスタッドボルトが溶接され、該段板の踏面部にスタッドボルト用通し孔が穿たれている消音用ゴムプレートが載置され、さらにその上に、踏面カバー部と蹴り上げ面カバー部と段鼻面カバー部を有していて、踏面カバー部が段板の踏面部に重なり、蹴り上げ面カバー部と段鼻面カバー部が段板の蹴り上げ面部と踏面部を隠蔽するように重なっていて踏面カバー部にスタッドボルト用通し孔が穿たれているとともに段鼻側の上面端縁にレベル調整材を備えている段板カバープレートが載置され、各スタッドボルトにナットが締結されて段板カバープレートと消音用ゴムプレートが段板の踏面部に固定され、ナットの周りの隙間と段板カバープレートの周辺の隙間に防水コーキングが施され、段板カバープレートの上にレベル調整材の高さに合わせて消音機能を有する仕上げ材が設けられ、レベル調整材にアングル状滑り止めが被され止着されていることを特徴とする、消音段板を備えた鉄骨製階段。
【発明の詳細な説明】
【０００１】
【発明が属する技術分野】
本願発明は、階段昇降時に生じる金属特有の高サイクル振動を減衰させて騒音の発生を効果的に防止でき、耐食性に優れ、長期間経過後にリフォームが可能である、消音段板を備えた鉄骨製階段に関する。
【０００２】
【従来の技術】
特開平６−１４６５１８の明細書の従来の技術の記載欄に鋼製階段に関する問題点が記載されている。
要約すると、鋼製階段は、耐火性を有すると共に、比較的軽量にて高い構造強度が得られ、かつ施工性に優れることから広く用いられている。特にマンション、ビル等の非常階段を兼ね耐食性を求められる屋外階段等では、鋼製ささら桁に縞鋼板からなる踏板（段板）を溶接接合して一体の階段構造体に組立後、どぶ漬け亜鉛めっきを施して耐食性を高める鋼製階段が採用されている。どぶ漬け亜鉛めっき”による一体型の鋼製階段は、単層の縞鋼板を踏板に用いている。
従って、鋼製階段の欠点は騒音である。昇降に際して発生する高いレベルの騒音を防止するために、鋼製ささら桁に粘弾性樹脂層を中間に介在させた制振鋼板を溶接接合して一体の階段構造体に組立て、これを“どぶ漬け亜鉛めっき”するものは目的を達成できないので、特開平６−１４６５１８では、鋼製のささら桁に単層鋼板からなる踏板を溶接接合して一体に組立てると共に、全面に溶融亜鉛めっきが施された階段本体の各踏板の踏面部の裏面に制振鋼板を接着してなる鋼製階段を提案している。
【０００３】
【発明が解決しようとする課題】
しかしながら、既設の鋼製階段について各踏板の踏面部の裏面に制振鋼板を接着しても十分な消音効果は得られない。
【０００４】
本願発明は、上記従来技術の問題点を解消すべくなされたもので、階段昇降時に生じる金属特有の高サイクル振動を減衰させて騒音の発生を効果的に防止でき、耐食性に優れ、長期間経過後にリフォームが可能である、消音段板を備えた鉄骨製階段を提供することを目的とする。
【０００５】
【課題を解決するための手段】
［請求項１］は、ささら桁に支持される段板の踏面部の複数箇所にスタッドボルトが溶接され、段板の踏面部にスタッドボルト用通し孔が穿たれている消音用ゴムプレートが載置されさらにその上にスタッドボルト用通し孔が穿たれているとともに段鼻側の上面端縁にレベル調整材を備えた段板カバープレートが載置され、各スタッドボルトにナットが締結されて段板カバープレートと消音用ゴムプレートが段板の踏面部に固定され、ナットの周りの隙間と段板カバープレートの周辺の隙間に防水コーキングが施され、段板カバープレートの上にレベル調整材の高さに合わせて仕上げ材が設けられ、レベル調整材にアングル状滑り止めが被され止着されていることを特徴とする、消音段板を備えた鉄骨製階段を提供するものである。
［請求項２］は、踏面部と蹴り上げ面部と段鼻面部を有していてささら桁に支持される段板の踏面部の複数箇所にスタッドボルトが溶接され、該段板の踏面部にスタッドボルト用通し孔が穿たれている消音用ゴムプレートが載置され、さらにその上に、踏面カバー部と蹴り上げ面カバー部と段鼻面カバー部を有していて、踏面カバー部が段板の踏面部に重なり、蹴り上げ面カバー部と段鼻面カバー部が段板の蹴り上げ面部と踏面部を隠蔽するように重なっていて踏面カバー部にスタッドボルト用通し孔が穿たれているとともに段鼻側の上面端縁にレベル調整材を備えている段板カバープレートが載置され、各スタッドボルトにナットが締結されて段板カバープレートと消音用ゴムプレートが段板の踏面部に固定され、ナットの周りの隙間と段板カバープレートの周辺の隙間に防水コーキングが施され、段板カバープレートの上にレベル調整材の高さに合わせて消音機能を有する仕上げ材が設けられ、レベル調整材にアングル状滑り止めが被され止着されていることを特徴とする、消音段板を備えた鉄骨製階段を提供するものである。
【０００６】
【発明の実施の形態】
本願発明の第一の実施の形態にかかる消音段板を備えた鉄骨製階段を図面を参照して説明する。図１は、本願発明の第一の実施の形態にかかる消音段板を備えた鉄骨製階段の平面図を示す。図２は、本願発明の第一の実施の形態にかかる消音段板を備えた鉄骨製階段の縦断面図を示す。
この消音段板を備えた鉄骨製階段は、例えば図１に示すように、下側の踊り場１及び上側の踊り場２に対して、上下端を溶接又はボルト締めにより接続固定される両側のささら桁３，３を有し、両側のささら桁３，３間に下段から順番に段板４，４，・・が溶接固定され、さらにささら桁３に手摺り５，５が溶接固定されて成る。この構成は、新設と既設のどちらでであっても良い。踊り場１と２、ささら桁３，３、段板４，４，・・、連結用のボルト・ナットは、防錆のためにどぶ漬け亜鉛メッキされている。段板４は、踏面部４ａと、踏面部４ａの昇り側端縁に立ち上がる蹴り上げ面部４ｂと、踏面部４ａの降り側端縁より垂下する段鼻面部４ｃを有している。手摺り５，５にはステンレスパイプを用いるのが好ましい。これらの構成は、新設と既設のどちらであっても良い。
そして、この消音段板を備えた鉄骨製階段は、建物の外壁面に固定設置される非常用階段か、又は室内の階段であるかを問わない。下側の踊り場１及び上側の踊り場２は、柱及び建物の壁面に固定される。ささら桁３と段板４とは、いずれか一方に設けたブラケットに開けた孔にボルト・ナット或いはリベット等を通して他方と固定するように構成されていても良い。
【０００７】
そして、図２に示すように、この消音段板を備えた鉄骨製階段は、両側のささら桁３，３に両端支持される段板４の踏面部４ａにテンプレート（図示しない）を載置し位置決めして締付け具等で固定し、
該テンプレートの四隅及び中程の複数箇所に穿たれている孔に例えばＭ５×１０ｍｍのスタッドボルト６，６，・・を入れてスポット溶接により該スタッドボルト６，６，・・の下面を段板４に溶接し、
前記テンプレート（図示しない）を取外してスタッドボルト６，６，・・の基端及びこれに対応する踏面部４ａの下面部位に錆び止めペイントを塗ってから、例えば厚さが３ｍｍありスタッドボルト用通し孔が穿たれている消音用ゴムプレート７を載置し、
さらにその上に、厚さ１．２又は１．６ｍｍの鋼板からなり段板４を隠蔽できる踏面カバー部９ａと蹴り上げ面カバー部９ｂと段鼻面カバー部９ｃを有する折曲げ形状であり踏面カバー部９ａに例えばスタッドボルト用通し孔が穿たれているとともに段鼻側の上面端縁に例えば横寸法が１９ｍｍで高さ寸法が１０ｍｍの角パイプからなるレベル調整材８を備えてどぶ付け亜鉛メッキされている段板カバープレート９を載置し、
しかる後に、各スタッドボルト６にナット１０を締結して段板カバープレート９と消音用ゴムプレート７を段板４の踏面部４ａに堅結固定し、
ナット１０の周りの隙間と段板カバープレート９の周縁の隙間に防水コーキングを施してから、段板カバープレート９の上にレベル調整材の高さに合わせて仕上げ材１１を設け、レベル調整材８に表面がエンボス状であり角が鋭利になっていないアングル状の滑り止め１２を被せてビスねじ等の止着具１３でレベル調整材８にねじ孔をタップ切りして連結固定して成る。
【０００８】
上記第一の実施の形態の消音段板を備えた鉄骨製階段は、段板４の蹴り上げ面部４ｂと段鼻面部４ｃのいずれも短くて、段板間が開放されていることにともなって、段板４をカバーしている段板カバープレート９も蹴り上げ面カバー部９ｂと段鼻面カバー部９ｃがそれぞれ蹴り上げ面部４ｂと段鼻面部４ｃを隠蔽できる限度に短くなっていて段板間の開放が確保されている。
消音用ゴムプレート７と段板カバープレート９は、幅寸法が段板４の幅寸法よりも例えば２〜４ｍｍ短い。ナット１０の周りの隙間と段板カバープレート９の周縁の隙間に防水コーキングを施すと、段板カバープレート９の上面から段板４の側に水が沁みこまないように防水が確保される。
仕上げ材１１は、例えば、段板カバープレート９の踏面カバー部９ａの上にレベル調整材８と高さと同じになるようにウレタン樹脂等の塗り込み材をパテのように厚く塗って乾燥させてクッション性を持たせた樹脂シートが好ましい。このような樹脂シートは、カラー選択が豊富であり、クッション性の度合いにも選択度が大きい。又、前記クッション性を有する樹脂シートの上にピータイル等を貼っても良く、又は、下面のナット１０に対応する箇所に凹部を形成したコルク板や滑り難いフローリング材を貼りつけても良い。
本願発明の鉄骨製階段によれば、階段昇降時に発生する騒音は、仕上げ材１１にクッション性を有する樹脂シートやコルクを用いるときは、仕上げ材１１と消音用ゴムプレート７とにより消音され、又、仕上げ材１１にクッション性・消音性は有しない滑り難いフローリング材を用いるときは、消音用ゴムプレート７により消音される。
【０００９】
図３は、本願発明の第二の実施の形態にかかる鉄骨製階段を示す縦断面図である。
この実施の形態の消音段板を備えた鉄骨製階段は、段板４の蹴り上げ面部４ｂが長く段鼻面部４ｃが短くて、踏面部４ａの奥に長く立ち上がる蹴り上げ面部４ｂに一段上の段板４の段鼻面部４ｃが短く垂下して前側に被さり段板間が閉じている構成であることにともなって、段板４をカバーしている段板カバープレート９も、蹴り上げ面カバー部９ｂが段板４の段鼻面部４ｃに突き合わさるように長く延び、段鼻面カバー部９ｃが段板４の段鼻面部４ｃを隠蔽できる限度に短くなっていて段板４を隠蔽している。その他の構成は、第一の実施の形態と相違がない。
【００１０】
図４は、本願発明の第三の実施の形態にかかる鉄骨製階段を示す縦断面図である。
この実施の形態の消音段板を備えた鉄骨製階段は、段板４の蹴り上げ面部４ｂが短く段鼻面部４ｃが長くて、蹴り上げ面部４ｂに一段上の段板４の段鼻面部４ｃが長く垂れ下がり前側に被さり段板間が閉じている構成であることにともなって、段板４をカバーしている段板カバープレート９も、蹴り上げ面カバー部９ｂが極めて短く立ち上がっているか、又は、踏面カバー部９ａが段板４の蹴り上げ面部４ｂに近接していて、段鼻面カバー部９ｃが長く垂下して段板４の段鼻面部４ｃを隠蔽している。その他の構成は、第一の実施の形態と相違がない。
【００１１】
なお、施工手順として、仕上げ材１１を設ける前に、レベル調整材８に滑り止め１２を取付けても良いし、仕上げ材１１を設けてから段板カバープレート９に被せてレベル調整材８と滑り止め１２を取付けても良い。
【００１２】
【発明の効果】
本願発明の鉄骨製階段によれば、
階段昇降時に発生する騒音は、仕上げ材にクッション性を有する樹脂シートやコルクを用いるときは、段板カバープレートに金属特有の高サイクル振動が生じ難く、金属特有の高サイクル振動が生じたとしても段板カバープレートに生じる仕上げ材と消音用ゴムプレートとにより減衰・消音され特に施工がやり易い、又、仕上げ材にクッション性・消音性は有しない滑り難いフローリング材を用いるときは、消音用ゴムプレートにより消音される。
本願発明の鉄骨製階段によれば、
段板カバープレートの上面から下側へ水が浸み込まないようになっており、段板に対する雨水の接触防止・錆の発生防止が図られているので屋外用であっても長期の耐久性を有する。
本願発明の鉄骨製階段によれば、
段板の上の、消音用ゴムプレートと段板カバープレートと仕上げ材と滑り止めは分解できるから交換可能であり、さらに、段板カバープレートにかかる荷重を段板が受けてくれるから段板を厚い材料で段板カバープレートを薄い材料で作れるので、段板を例えば６ｍｍの鋼板で厚く作って長期間の耐久強度を確保するとともに段板カバープレートを例えば１．２〜１．６ｍｍで薄く作り、長期間経過後に消音用ゴムプレートと段板カバープレートと仕上げ材と滑り止めを安価にリーフォーム交換可能であり、加えて、仕上げ材の材質・カラーの選択ができる。
【図面の簡単な説明】
【図１】本願発明の第一の実施の形態にかかる鉄骨製階段の段板を消音段板に替えるリフォーム材セットを取付けた鉄骨製階段の平面図である。
【図２】本願発明の第一の実施の形態にかかる消音段板を備えた鉄骨製階段を示す縦断面図である。
【図３】本願発明の第二の実施の形態にかかる消音段板を備えた鉄骨製階段を示す縦断面図である。
【図４】本願発明の第三の実施の形態にかかる消音段板を備えた鉄骨製階段を示す縦断面図である。
【符号の説明】
１・・・下側の踊り場、２・・・上側の踊り場、３・・・ささら桁、４・・・段板、４ａ・・・踏面部、４ｂ・・・蹴り上げ面部、４ｃ・・・段鼻面部、５・・・手摺り、６・・・スタッドボルト、７・・・消音用ゴムプレート、８・・・レベル調整材、９・・・段板カバープレート、９ａ・・・踏面カバー部、９ｂ・・・蹴り上げ面カバー部、９ｃ・・・段鼻面カバー部、１０・・・ナット、１１・・・仕上げ材、１２・・・滑り止め、１３・・・止着具、
【図１】
2004027526.tif 000003
【図２】
2004027526.tif 000004
【図３】
2004027526.tif 000005
【図４】
2004027526.tif 000006